(57)【要約】      （修正有）【課題】簡単な構造の軟弱野菜収穫機の提供。【解決手段】機体前方の切断刃６で切断した複数株のほうれん草などの軟弱野菜をベルトコンベア８に載せて後方に送る収穫機１に関する。ベルトコンベア８の左右両側にはガイドカバー９により垂直ガイド壁を形成して、切断刃６からベルトコンベア上に受け渡された複数株の軟弱野菜を中央に寄せ集める。寄せ集められた複数株の軟弱野菜は隣同士の葉と葉とが絡み合った状態になり、初期の立ち姿を保持したまま後方に搬送される。【選択図】  図１
2006000092.tif 000002
【特許請求の範囲】
【請求項１】
機体を前進させるための走行部と、
複数株の軟弱野菜の根を左右往復運動する切断刃でもってほぼ同時に切断する切断部と、
前記切断刃でもって根を切断した複数株の軟弱野菜を後方に搬送する軟弱野菜搬送部と、
前記軟弱野菜搬送部の搬送経路を後方に向けて徐々に狭める傾斜部分を前方にもった一対のガイドカバーとからなる、
軟弱野菜収穫機。
【請求項２】
前記軟弱野菜搬送部はベルトコンベアからなり、このベルトコンベアの両側に沿って前記ガイドカバーが配置され、これらベルトコンベアとガイドカバーとで軟弱野菜の搬送経路を形成している、請求の範囲１に記載の軟弱野菜収穫機。
【請求項３】
前記切断刃は、先端縁の刃部がほぼＶ字状をした一枚刃である、請求の範囲１に記載の軟弱野菜収穫機。
【発明の詳細な説明】
【技術分野】
【０００１】  本発明は、ほうれん草などの軟弱野菜の根を切断刃で切断してコンベアで上方に搬送するタイプの軟弱野菜収穫機に関する。
【背景技術】
【０００２】  従来、ほうれん草や小松菜などの軟弱野菜（葉菜類）の根は、鎌でもって手で切断していた。しかし、多量の野菜の根を鎌を用いて人力で切り取るのは作業者にとってつらい作業であり、かつ作業効率が低かった。【０００３】  そこで、上記作業を機械化するために、車輪を備えたフレームに長手方向に往復運動するブレードを装着して、ブレードを動力源で駆動しながらフレームを人力により引っ張ることにより、野菜の根を切りながら走行する走行式根切り機が下記特許文献１に提案されている。この根切り機で根を切り取られたほうれん草は圃場にそのまま置かれ、のちほど、それらは人力によって集められる。【０００４】  また、ほうれん草を掘り取り刃で掘り取ってから、そのほうれん草を左右一対のコンベアで挟んだまま後方に向けて搬送するほうれん草収穫機が下記特許文献２に提案されている。この掘り取り刃で掘り取られたほうれん草はその左右をコンベアで挟まれたまま斜め上方に搬送されるため、葉が傷みやすい。また、掘り取られ搬送されるほうれん草は１条であり、作業効率は高くない。【０００５】
【特許文献１】特開２００３−３３１０８号公報
【特許文献２】特開平９−１０７７６５号公報
【発明の開示】
【発明が解決しようとする課題】
【０００６】  本発明は、地上に生えているほうれん草、小松菜、青ねぎ、水菜などの軟弱野菜（葉菜類）の根を切断してからコンベアでもって上方に搬送するとき、そのコンベアによって葉をいためることがないような、簡単な構造の軟弱野菜収穫機を提供することにある。
【課題を解決するための手段】
【０００７】  前記課題を達成するため、本発明による軟弱野菜収穫機は、機体を前進させるための走行部と、複数株の軟弱野菜の根を左右往復運動する切断刃でもってほぼ同時に切断する切断部と、前記切断刃でもって根を切断した複数株の軟弱野菜を後方に搬送する軟弱野菜搬送部と、前記軟弱野菜搬送部の搬送経路を後方に向けて徐々に狭める傾斜部分を前方にもった一対のガイドカバーとからなる。【０００８】  走行部は機枠に搭載したエンジンで回転する走行クローラか車輪とすることができる。
切断部は、ほうれん草などの軟弱野菜の根を地下一定深さのところから切断する一枚刃からなる切断刃と、その切断刃を左右往復運動させるための機構とからなる。この切断刃は横に並んだ複数株の軟弱野菜の根をほぼ同時に切断できる幅をもつ。
軟弱野菜搬送部は、切断刃で根を切り取った軟弱野菜を受け取って後方に搬送するベルトコンベアとからなる。ベルトコンベアはシート製のものでもよいし、編み目のある材料を用いても良い。編み目のある材料を用いると、搬送途中にある軟弱野菜についた土を振動によりふるい落とすことができる。また、強制的に土をふるい落とすブラシをベルトコンベアに対向して設けてもよい。
ガイドカバーは、軟弱野菜搬送部を構成するベルトコンベアの左右両側に垂直ガイド壁を形成するもので、これらベルトコンベアとガイドカバーとで軟弱野菜の搬送経路を形成する。この搬送経路は前端部で最も広く、以下、後方に進むにしたがって徐々に狭くなる。その結果、切断刃からベルトコンベア上に受け渡されてきた複数株の軟弱野菜を搬送中に中央側に寄せることができる。
ベルトコンベア上で中央に寄せ集められた複数株の軟弱野菜は隣同士の葉と葉とが絡み合った状態になり、初期の立ち姿を保持したまま搬送経路上を後方に搬送される。
【発明の効果】
【０００９】  本発明によると、一度に切断し収穫した複数列分の（例えば、４列分の）軟弱野菜を後方に、搬送ベルトで締め付けることなく一定の姿勢を保持させながら搬送できるので、軟弱野菜の葉を搬送中に傷めずに作業効率の高い収穫作業が可能となる。
【発明を実施するための最良の形態】
【００１０】  本発明による軟弱野菜収穫機１は、機枠２に走行クローラ４を取り付けかつその機枠２に走行クローラ４を駆動する駆動原であるエンジン３を搭載した自走式の収穫機である。【００１１】  機枠２の走行方向前部からは切断刃取り付け用ビーム５が前方に延びている。この切断刃取り付け用ビーム５には、このビーム５に対して左右方向に往復運動可能の可動枠６１が取り付けられている。この可動枠６１の下端には平板状の切断刃６が固定されている。可動枠６１の往復運動は、切断刃取り付け用ビーム５の先端に固定した取り付け台５１に上に搭載した切断刃駆動用モータ６２によって行われる。【００１２】  具体的には、切断刃駆動用モータ６２の出力軸には偏心カム６３が固定され、その偏心カム６３と可動枠６１との間には連結ロッド６４が掛け渡されている。したがって、機枠２の後部に搭載した電源１３（図１）をオンして切断刃駆動用モータ６２を回転すると、偏心カム６３が回転し、連結ロッド６４が往復運動するので、その結果、可動枠６１及び可動枠６１に固定されている切断刃６も切断刃取り付け用ビーム５に対して左右方向に往復運動する。【００１３】  切断刃６は、図１に示すように、前方にやや傾斜して地中に入り込んだ状態で左右方向に往復運動することで、ほうれん草７の根を切断する。図２では１つの切断刃６で横に並んだ４株分のほうれん草７の根をほぼ同時に切り取る例を示している。切断刃６の先端縁（刃部）は、図２の上面図から明らかなように、その前方中央部が左右両端部よりも前方にやや突出したほぼＶ字状を呈している。【００１４】  機枠２の左右両側からは短い支柱２１、２１が前方に、また、長い支柱２２、２２が後方に、それぞれ上方に向かって延びている。これら支柱２１、２１、及び２２、２２の上端にはベルトコンベア８を支持するコンベア支持枠８１が固定されている。ベルトコンベア８は、コンベア支持枠８１に回転可能に取り付けられた駆動輪８２及び従動輪８３、８４、８５に掛け渡されている。ベルトコンベア８で、前端の従動輪８５から後方寄りの従動輪８３までの区間は、後方に向かうにしたがって徐々に高くなる傾斜姿勢を取り、また、従動輪８３から駆動輪８２までの区間は水平姿勢を取っている。【００１５】  駆動輪８２は、機枠２の後方一側に搭載したコンベア駆動用モータ８７によって駆動される。コンベア駆動用モータ８７の電源は、電源１３であり、切断刃駆動用モータ６２の電源と共有している。この電源１３をオンしてコンベア駆動用モータ８７を駆動すると、動力伝達手段（図示せず）を介して駆動輪８２が回転して、ベルトコンベア８が回転走行する。【００１６】  さらに、支柱２１、２１、２２、２２のそれぞれ上端部には一定高さのガイドカバー９、９が、ベルトコンベア８の左右両側に取り付けられている。これらベルトコンベア８とガイドカバー９，９とで軟弱野菜の搬送経路を構成する。これらのガイドカバー９、９の前方部分には傾斜部９１、９１がそれぞれ形成されているため、図２に示すように、この搬送経路は前端部で最も広く、以下、後方に進むにしたがって徐々に狭くなる。その結果、切断刃６を越えてベルトコンベア８上に受け渡されてきた複数株の軟弱野菜はこの傾斜部���１、９１によって徐々に中央側に寄せられる。そして、この傾斜部９１と傾斜部９１との間の搬送経路を通り過ぎた軟弱野菜は、以後、ガイドカバー９、９同士が平行となる部分を後方に進む。【００１７】  作業者がハンドル１２を握りつつ軟弱野菜収穫機１を前進駆動させると、機体前方にあるデバイダー１３によって分草された複数株（図１の例では４株の）ほうれん草７の根は左右に往復運動する切断刃６でもってほぼ同時に切断される。そして、根を切断されたほうれん草７は切断刃６の上を通り過してベルトコンベア８の前方部に載り移る。【００１８】  ベルトコンベア８の前方両側にはガイドカバー９の傾斜部９１が垂直壁の形で固定配置されているから、切断刃６で根をほぼ同時に切断された複数株の（図２の例では４つ）ほうれん草は、ベルトコンベア８の走行にともない、ガイドカバー９の傾斜部９１に案内されて中央側に徐々に寄せられながらベルトコンベア８によって後方に送られる。【００１９】  このようにして複数株のほうれん草７が中央に徐々に寄せられる過程で、隣あったほうれん草の葉と葉とが絡み合い、これらほうれん草は互いに支えあってベルトコンベア８に乗り移ったときの姿勢を保持したまま、すなわち、倒伏や反転することなく葉を上にし根を下にした姿勢を保持したまま、左右のガイドカバー９、９の間をベルトコンベア８によって後方に搬送される。ベルトコンベア８の後方部分（従動輪８３から駆動輪８２までの間の水平部分）にまで送られてきたほうれん草は、軟弱野菜収穫機１を運転している作業者がこれを取り出して、圃場に置いてあるコンテナー（図示せず）などに収納する。
【図面の簡単な説明】
【００２０】
【図１】  本発明による軟弱野菜収穫機の一実施例の側面図である。
【図２】  図１の軟弱野菜収穫機の平面図である。
【図３】  図１の軟弱野菜収穫機の正面図である。
【符号の説明】
【００２１】１  軟弱野菜収穫機
２  機枠
４  走行クローラ
６  切断刃
８  ベルトコンベア
９  ガイドカバー
【図１】
2006000092.tif 000003
【図２】
2006000092.tif 000004
【図３】
2006000092.tif 000005